(57)【要約】【課題】空気調和システム全体で消費するエネルギーを削減する。【解決手段】外調機（１０）と空調機（２０）と熱排気ファン（３１）とを備え、外気に対して除湿／加湿が必要な場合には、熱排気ファンにより排気された熱排気を室内側に循環させる第１の切替ダンパ（５０）と、第１の切替ダンパを経由して取り込んだ熱排気に対して、必要に応じて冷却による熱排気処理を行う熱排気処理空調機（４０）と、外気に対して除湿が必要な外気条件が成立した場合には、熱排気処理空調機を経由して取り込んだ熱排気処理後の空気を、外調機から出力された空気と混合させて空調機に供給し、外気に対して加湿が必要な外気条件が成立した場合には、熱排気処理空調機を経由して取り込んだ熱排気処理後の空気を、外気と混合させて外調機に供給する第２の切替ダンパ（６０）とをさらに備える。【選択図】図１
2012242044.tif 000002
【特許請求の範囲】
【請求項１】
外気に対して加湿・除湿処理を施した空気を出力する外調機と、
前記外調機の後段に設けられ、室内の温度を均一に保つために、前記室内の内気、および前記外調機から出力された空気を取り込み、前記室内の空気調和制御を行う空調機と、
前記室内の局所的な熱源で発生した熱を室外に排気する熱排気ファンと
を備えた空気調和装置において、
前記外気に対して除湿または加湿が必要な場合には、前記熱排気ファンにより排気された熱排気を室内側に循環させるように切り替え、前記外気に対して除湿または加湿が必要でない場合には、前記熱排気を前記室外に排気するように切り替える第１の切替ダンパと、
前記第１の切替ダンパを経由して取り込んだ前記熱排気に対して、必要に応じて冷却による熱排気処理を行う熱排気処理空調機と、
前記外気に対して除湿が必要な外気条件が成立した場合には、前記熱排気処理空調機を経由して取り込んだ前記熱排気処理後の空気を、前記外調機から出力された空気と混合させて前記空調機に供給するように切り替え、前記外気に対して加湿が必要な外気条件が成立した場合には、前記熱排気処理空調機を経由して取り込んだ前記熱排気処理後の空気を、前記外気と混合させて前記外調機に供給するように切り替える第２の切替ダンパと
をさらに備える
ことを特徴とする空気調和装置。
【請求項２】
外気に対して加湿・除湿処理を施した空気を出力する第１ステップと、
室内の温度を均一に保つために、前記室内の内気、および前記第１ステップにより出力された空気を取り込み、前記室内の空気調和制御を行う第２ステップと、
前記室内の局所的な熱源で発生した熱を室外に排気する第３ステップと
を備えた空気調和方法であって、
前記外気に対して除湿または加湿が必要な場合には、前記第３ステップにより排気された熱排気を室内側に循環させるように切り替える第４ステップと、
前記第４ステップにより循環される前記熱排気に対して、必要に応じて冷却による熱排気処理を行う第５ステップと、
前記外気に対して除湿が必要な外気条件が成立した場合には、前記第５ステップによる前記熱排気処理後の空気を、前記第１ステップにより出力された空気と混合させて前記第２ステップによる前記空気調和制御を行うように循環経路を切り替える第６ステップと、
前記外気に対して加湿が必要な外気条件が成立した場合には、前記第５ステップによる前記熱排気処理後の空気を、前記外気と混合させて前記第１ステップによる前記加湿・除湿処理を行うように循環経路を切り替える第７ステップと
をさらに備えることを特徴とする空気調和方法。
【発明の詳細な説明】
【技術分野】
【０００１】
本発明は、例えば、半導体製造工場等で用いられるクリーンルーム内の空調に適用される空気調和装置および空気調和方法に関する。
【背景技術】
【０００２】
工場・病院・ビル等、幅広い分野で使用されている従来の空調システムは、室内の人間が生命を維持するために必要な外気量（２０ｍ３／ｈ・人）の他に、局所的な熱を排出（以下、局排と称す）するための排気量、部屋を目的圧に保つための外気量、あるいは化学物質対策のために必要な換気量など、複合的な要素から、部屋の外気量が決定される。なお、多くの工場において、外気量の７０％〜８０％を、局排が占めている。
【０００３】
一般的に、室内で発生する熱は、室内空気を循環させながら空調機で処理し、その一方で、屋外から取り込む外気は、外調機で処理している。
【０００４】
室内において局所的に大きな熱が発生する部分がある場合には、該当する場所で処理をしなければ、熱が室内に分散していき、室内の温・湿度を均一に保つことが困難となる。このため、室内の温・湿度を均一に保つ必要がある場合には、局所での熱処理を行う必要がある。
【０００５】
一般的に、局所的な熱処理方法としては、冷却水による冷却か、あるいは、排気ファンによる熱排気が選択される。前者の冷却水を用いる場合には、ある程度効率的に熱を回収することができる反面、熱交換器や配管、冷却装置といった設備費がかかる。一方、後者の熱排気を用いる場合には、設備費は安く済む反面、効率的に熱のみを排出することは難しく、周辺の空気を一緒に排気するため、その温度は４０℃程度となっているのが実情である。
【０００６】
一例として、冬季において、空調機への還気を外調機の上流へ入れて加熱用熱量の削減を試みている従来技術がある（例えば、特許文献１参照）。
【先行技術文献】
【特許文献】
【０００７】
【特許文献１】特開平８−２００７３８号公報
【発明の概要】
【発明が解決しようとする課題】
【０００８】
しかしながら、従来技術には、以下のような課題がある。
この特許文献１に係る空気調和装置において、外気量は、人・局排・室圧によって決められている。このため、空調機への還気を外調機に投入することは、局排の量以下で可能ではある。しかしながら、還気は室温であるため、エネルギー密度が局排に比べて低い。従って、この特許文献１のように、空調機への還気を外調機の上流に投入する場合には、冷却が必要な夏季においては、省エネルギーに寄与することができないといった課題があった。
【０００９】
導入費を抑えながら、室内を一定の温・湿度に保とうとする場合に、熱排気を用いることは、有効な方法ではある。しかしながら、熱排気そのもののエネルギー密度は低く、熱を効率的に放出することはできない。このため、結果的に、その分の外気量が増え、外気処理に必要なエネルギーが増大し、空気調和に必要なエネルギーが増大してしまうといった課題があった。
【００１０】
本発明は、前記のような課題を解決するためになされたものであり、空気調和システム全体で消費するエネルギーを削減することのできる空気調和装置および空気調和方法を得ることを目的とする。
【課題を解決するための手段】
【００１１】
本発明に係る空気調和装置は、外気に対して加湿・除湿処理を施した空気を出力する外調機と、外調機の後段に設けられ、室内の温度を均一に保つために、室内の内気、および外調機から出力された空気を取り込み、室内の空気調和制御を行う空調機と、室内の局所的な熱源で発生した熱を室外に排気する熱排気ファンとを備えた空気調和装置において、外気に対して除湿または加湿が必要な場合には、熱排気ファンにより排気された熱排気を室内側に循環させるように切り替え、外気に対して除湿または加湿が必要でない場合には、熱排気を室外に排気するように切り替える第１の切替ダンパと、第１の切替ダンパを経由して取り込んだ熱排気に対して、必要に応じて冷却による熱排気処理を行う熱排気処理空調機と、外気に対して除湿が必要な外気条件が成立した場合には、熱排気処理空調機を経由して取り込んだ熱排気処理後の空気を、外調機から出力された空気と混合させて空調機に供給するように切り替え、外気に対して加湿が必要な外気条件が成立した場合には、熱排気処理空調機を経由して取り込んだ熱排気処理後の空気を、外気と混合させて外調機に供給するように切り替える第２の切替ダンパとをさらに備えるものである。
【００１２】
また、本発明に係る空気調和方法は、外気に対して加湿・除湿処理を施した空気を出力する第１ステップと、室内の温度を均一に保つために、室内の内気、および第１ステップにより出力された空気を取り込み、室内の空気調和制御を行う第２ステップと、室内の局所的な熱源で発生した熱を室外に排気する第３ステップとを備えた空気調和方法であって、外気に対して除湿または加湿が必要な場合には、第３ステップにより排気された熱排気を室内側に循環させるように切り替える第４ステップと、第４ステップにより循環される熱排気に対して、必要に応じて冷却による熱排気処理を行う第５ステップと、外気に対して除湿が必要な外気条件が成立した場合には、第５ステップによる熱排気処理後の空気を、第１ステップにより出力された空気と混合させて第２ステップによる空気調和制御を行うように循環経路を切り替える第６ステップと、外気に対して加湿が必要な外気条件が成立した場合には、第５ステップによる熱排気処理後の空気を、外気と混合させて第１ステップによる加湿・除湿処理を行うように循環経路を切り替える第７ステップとをさらに備えるものである。
【発明の効果】
【００１３】
本発明に係る空気調和装置および空気調和方法によれば、熱排気を室内に戻すルートとして、外気を除湿しなければならない場合や外気を加湿のために加温する必要がある場合には、換気に必要な量以外の空気を、必要に応じて冷却処理を行って外調機の上流側または外調機の下流側に戻すことにより、空気調和システム全体で消費するエネルギーを削減することのできる空気調和装置および空気調和方法を得ることができる。
【図面の簡単な説明】
【００１４】
【図１】本発明の実施の形態１における空気調和装置の全体構成図である。
【図２】本発明の実施の形態１に係る外調機および熱排気処理空調機の夏季における空気線図の一例を示した図である。
【図３】本発明の実施の形態１に係る外調機および熱排気処理空調機の冬季における空気線図の一例を示した図である。
【図４】本発明の実施の形態１における空気調和装置の一連処理を示すフローチャートである。
【図５】従来の空気調和装置の全体構成図である。
【図６】従来の外調機の夏季における空気線図の一例を示した図である。
【図７】従来の外調機の冬季における空気線図の一例を示した図である。
【発明を実施するための形態】
【００１５】
以下、本発明の空気調和装置および空気調和方法の好適な実施の形態につき図面を用いて説明する。
本発明は、空気調和における外気処理の占める割合が大きい場合には、処理に多大なエネルギーを要するため、外気量を削減できれば省エネルギーに大きく貢献できる点に着目している。そして、局所的な熱負荷を屋外へ放出するために排気している空気を循環させて空調処理に利用することで、外気処理に要するエネルギーの大幅な削減を実現することを技術的特徴とするものである。
なお、本発明の特徴をより明確とするために、従来の空気調和装置との比較を行いながら、以下に説明する。
【００１６】
実施の形態１．
図５は、従来の空気調和装置の全体構成図である。図５に示す従来の空気調和装置は、外調機１０、空調機２０、および熱排気ファン３１を備えて構成されており、熱源装置１０１を含む室内１００の空調を行っている。
【００１７】
ここで、外調機１０は、室内条件にあった条件まで外気を処理して空調機２０に送気するためのものであり、外調機ファン１１、外調機冷却コイル１２、外調機加熱コイル１３、および外調機加湿器１４を備えている。より具体的には、外調機冷却コイル１２により除湿処理を行い、外調機加熱コイル１３および外調機加湿器１４により加湿処理を行う。
【００１８】
また、空調機２０は、外調機１０を経由した外気および室内１００の内気を取り込み、室内１００の温度を均一に保つ働きをするものであり、空調機ファン２１、および空調機冷却コイル２２を備えている。より具体的には、空調機冷却コイル２２により室内１００の空気調和制御を行っている。
【００１９】
また、熱排気ファン３１は、室内１００の局所的な熱源である熱源装置１０１による熱を室外に排気するためのファンである。
【００２０】
次に、従来の外調機１０の夏季および冬季における具体的な動作について、空気線図を用いて説明する。図６は、従来の外調機１０の夏季における空気線図の一例を示した図である。夏季においては、外気の方が室内よりも高温・高湿である。従って、外調機１０による加湿・除湿処理としては、外調機冷却（図６中のルートＲ６１、Ｒ６２に相当）および外調機再熱（図６中のルートＲ６３に相当）の工程を経るエネルギーを要することとなる。
【００２１】
一方、図７は、従来の外調機１０の冬季における空気線図の一例を示した図である。冬季においては、外気の方が室内よりも低温である。従って、外調機１０による加湿・除湿処理としては、外調機加温（図７中のルートＲ７１に相当）および外調機加湿（図７中のルートＲ７２に相当）の工程を経るエネルギーを要することとなる。
【００２２】
これに対して、図１は、本発明の実施の形態１における空気調和装置の全体構成図である。図１に示す本実施の形態１に係る空気調和装置は、外調機１０、空調機２０、熱排気ファン３１、熱排気処理空調機４０、大気／熱排気空調機切替ダンパ５０、および夏冬切替ダンパ６０を備えて構成されており、熱源装置１０１を含む室内１００の空調を行っている。
【００２３】
先の図５に示した従来の空気調和装置の構成と比較すると、図１に示した本実施の形態１における空気調和装置は、熱排気処理空調機４０、大気／熱排気空調機切替ダンパ５０、および夏冬切替ダンパ６０をさらに備えている点が異なっている。本発明は、これらの異なる構成を備えることで、熱排気を室内に戻すルートを設け、換気に必要な量以外の空気を室内に戻す途中で必要に応じて冷却処理を行って外調機の上流側または外調機の下流側に戻して循環させることを可能としている。そこで、これらの異なる構成を中心に、以下に説明する。
【００２４】
大気／熱排気空調機切替ダンパ５０は、必要に応じて、熱排気を室内に戻すための第１の切替ダンパである。また、熱排気処理空調機４０は、大気／熱排気空調機切替ダンパ５０を経由して取り込んだ熱排気に対して、必要に応じて冷却による熱排気処理を行うものであり、熱排気処理空調機ファン４１、および熱排気処理空調機冷却コイル４２を備えている。
【００２５】
さらに、夏冬切替ダンパ６０は、熱排気処理空調機４０を経由して取り込んだ空気を、外気に対して除湿が必要な外気条件が成立しているか、あるいは外気に対して加湿が必要な外気条件が成立しているかに応じて、外調機１０側（外調機１０の上流側）に戻すか、空調機２０側（外調機１０の下流側）に戻すかを切り替えるための第２の切替ダンパである。
【００２６】
また、外気に対して除湿が必要な外気条件、および外気に対して加湿が必要な外気条件のいずれもが成立していないときは、熱排気を室内に戻す両方のルートがともに閉じられることとなる。
【００２７】
具体的には、夏冬切替ダンパ６０は、外気に対して加湿が必要な外気条件が成立している冬季には、熱排気処理空調機４０から出力される、冷却による熱排気処理を行っていない空気を、外調機１０の上流側に戻すように切り替えられる。この結果、熱排気処理空調機４０から出力される空気を外気と混合させることで、外気を加湿するための加温用エネルギーを供給することが可能となる。
【００２８】
なお、熱排気処理空調機４０に入力される空気が有している熱エネルギーが、外気を所望の値に加温するための熱エネルギーよりも大きい場合には、その余っている熱エネルギーは、熱排気処理空調機４０により冷却排気され、その冷却排気後の空気と外気とが混合されて外調機１０に取り込まれることとなる。
【００２９】
逆に、熱排気処理空調機４０に入力される空気が有している熱エネルギーが、外気を所望の値に加温するための熱エネルギーよりも小さい場合には、熱排気処理空調機４０による冷却を行うことなく排気された空気と外気とが混合されて外調機１０に取り込まれることとなる。
【００３０】
一方、夏冬切替ダンパ６０は、外気に対して除湿が必要な外気条件が成立している夏季には、熱排気処理空調機４０から出力される、冷却による熱排気処理を行った空気を、外調機１０の下流側に戻すようにダンパを切り替えられる。
【００３１】
この結果、熱排気処理空調機４０から出力される、冷却による熱排気処理を行った空気を、外調機１０から出力された外気と混合することで、外調機１０で処理すべき外気量を減らすことができ、外調機１０で消費されるエネルギーを削減することが可能となる。これは、すなわち、外調機１０により外気を除湿するエネルギーよりも、熱排気処理空調機４０により熱排気を冷却するエネルギーの方が少なくて済むためである。
【００３２】
外調機１０は、室内条件にあった条件まで外気を処理して空調機２０に送気するためのものであり、外調機ファン１１、外調機冷却コイル１２、外調機加熱コイル１３、および外調機加湿器１４を備えており、基本構成は、従来と同一である。
【００３３】
ただし、本実施の形態１における外調機１０は、冬季においては、熱排気処理空調機４０から出力される、必要に応じて冷却による熱排気処理を行った空気を外気と混合したものを取り込むこととなる。この結果、熱排気を循環させない場合よりも、外調機１０で処理すべき外気量を減らすことができる。
【００３４】
なお、通常の制御としては、室内１００の室圧を目標値として、外調機１０の外調機ファン１１を回転数制御することが考えられる。従って、このような制御を行う場合には、熱排気を循環させることで、自動的に外調機１０に取り込まれる外気量が減ることとなる。
【００３５】
また、空調機２０は、外調機１０を経由した外気および室内１００の内気を取り込み、室内１００の温度を均一に保つ働きをするものであり、空調機ファン２１、および空調機冷却コイル２２を備えており、基本構成は、従来と同一である。ただし、本実施の形態１における空調機２０は、夏季においては、熱排気処理空調機４０から出力される、冷却による熱排気処理を行った空気を外調機１０から出力された外気と混合したものを取り込むこととなる。
【００３６】
また、熱排気ファン３１は、室内１００の局所的な熱源である熱源装置１０１による熱を室外に排気するためのファンであり、基本構成は、従来と同一である。
【００３７】
このような本実施の形態１に係る空気調和装置の夏季および冬季における具体的な動作について、空気線図を用いて説明する。図２は、本発明の実施の形態１に係る外調機および熱排気処理空調機の夏季における空気線図の一例を示した図である。夏季においては、外気の方が室内よりも高温・高湿である。
【００３８】
従って、外調機１０による加湿・除湿処理としては、外調機冷却（図２中のルートＲ２１、Ｒ２２に相当）、および外調機再熱（図２中のルートＲ２３に相当）の工程を経るエネルギーを要し、熱排気処理空調機４０による冷却排気処理としては、排気冷却（図２中のルートＲ２４に相当）の工程を経るエネルギーを要することとなる。
【００３９】
ここで、従来の空気調和装置では、熱排気処理空調機４０を経由した循環ルートを有していないため、先の図６の空気線図に示すように、外気は除湿のために冷却され（ルートＲ６１、Ｒ６２に相当）、室内条件に合わせて再熱（ルートＲ６３に相当）する必要があった。このため、エンタルピーの高い外気を除湿するためには、大きなエネルギーを必要とし、そのエネルギー量は、外気量に比例して大きくなる。
【００４０】
これに対して、本実施の形態１における空気調和装置では、熱排気処理空調機４０を経由した熱排気を外調機１０の下流側に戻すルート（図２中のルートＲ２４に相当）を備えている。この結果、図２の空気線図に示すように、熱排気処理空調機４０で熱処理した熱排気を外調機１０の後段側に戻すことで、外調機１０により処理する外気量を減らし、外気を除湿するために必要なエネルギーを削減することができる。
【００４１】
ここで、本実施の形態１における空気調和装置は、熱排気処理空調機４０による熱排気処理が必要になる。しかしながら、外気のエンタルピーは、熱源装置１０１から排出される熱排気のエンタルピーよりも大きいため、空気調和全体としてのエネルギーを削減することが可能となる。すなわち、高湿である外気を、外調機１０を用いて適切な湿度にするためには、熱排気処理よりも多くのエネルギーを消費することとなるため、熱排気処理空調機４０による熱排気処理を有効活用して、省エネルギー化を実現している。
【００４２】
換言すると、本実施の形態１における空気調和装置は、熱排気処理空調機４０を経由したルートＲ２４による排気冷却による供給ルートを有しているため、ルートＲ２１→Ｒ２２→Ｒ２３による外気の供給量を減らすことができ、トータルとしての空調エネルギーを削減することが可能となる。
【００４３】
一方、図３は、本発明の実施の形態１に係る外調機および熱排気処理空調機の冬季における空気線図の一例を示した図である。冬季においては、外気の方が室内よりも低温である。従って、外調機１０による加湿・除湿処理としては、外調機加湿（図３中のルートＲ３２に相当）の工程を経るエネルギーを要し、熱排気処理空調機４０による冷却排気処理としては、排気冷却（図３中のルートＲ３３に相当）の工程を経るエネルギーを要することとなる。
【００４４】
ここで、従来の空気調和装置では、熱排気処理空調機４０を経由した循環ルートを有していないため、先の図７の空気線図に示すように、外気は加湿のために加温（ルートＲ７１に相当）される必要があった。このため、温度の低い外気を加温するためには、大きなエネルギーを必要とし、そのエネルギー量は、外気量に比例して大きくなる。
【００４５】
これに対して、本実施の形態１における空気調和装置では、熱排気処理空調機４０を経由した熱排気を外調機１０の上流側に戻すルート（図３中のルートＲ３３に相当）を備えている。この結果、図３の空気線図に示すように、熱排気と外気をミキシングすることで、加温に使用していたエネルギーを大幅に削減することが可能となる。
【００４６】
換言すると、本実施の形態１における空気調和装置は、熱排気処理空調機４０を経由したルートＲ３３による供給ルートを有しているため、ルートＲ７１による外気の供給量を減らすことで外調機加温に要するエネルギーを削減することができ、トータルとしての空調エネルギーを削減することが可能となる。
【００４７】
なお、この図３においては、熱排気処理空調機４０に入力される空気が有している熱エネルギーが、外気を所望の値に加温するための熱エネルギーよりも大きい場合であり、その余っている熱エネルギーを熱排気処理空調機４０により排気冷却した後に、外気と混合する場合を例示している。このように、熱排気処理空調機４０は、それぞれの熱エネルギーの大小関係に基づいて、必要に応じて冷却による熱排気処理を行うこととなる。
【００４８】
次に、フローチャートに基づいて、本発明の実施の形態１における空気調和装置の処理手順の流れを説明する。図４は、本発明の実施の形態１における空気調和装置の一連処理を示すフローチャートである。なお、この図４における一連処理は、空気調和装置の有するコントローラ（図示せず）によって行われる制御をまとめたものである。
【００４９】
まず始めに、ステップＳ４０１において、コントローラは、外気条件として除湿が必要であるか否かを判断する。そして、ステップＳ４０１において、外気条件として除湿が必要であると判断した場合には、ステップＳ４０２に進み、コントローラは、ステップＳ４０２〜Ｓ４０４の一連処理を行う。
【００５０】
具体的には、ステップＳ４０２において、コントローラは、熱排気処理空調機４０を経由した熱排気を外調機１０の下流側に戻すように、夏冬切替ダンパ６０を切り替える。
【００５１】
次に、ステップＳ４０３において、コントローラは、熱排気ファン３１からの排気を、室内に戻すように、大気／熱排気空調機切替ダンパ５０を切り替える。さらに、ステップＳ４０４において、コントローラは、熱排気処理空調機４０の運転を開始し、夏季モードでの室内循環モードでの運転を行う。
【００５２】
このように、ステップＳ４０２、Ｓ４０３、Ｓ４０４による一連処理を施すことで、先の図２の空気線図で示したように、外気の供給量を減らした空調制御を行うことができ、トータルとしての空調エネルギーの削減を実現できる。
【００５３】
一方、先のステップＳ４０１において、外気条件として除湿が必要でないと判断した場合には、コントローラは、ステップＳ４０５に進み、外気条件として加湿が必要であるか否か（すなわち、外気を加湿のために加温する必要がある冬季に相当する運転が必要であるか否か）を判断する。そして、ステップＳ４０５において、外気条件として加湿が必要であると判断した場合には、ステップＳ４０６に進み、コントローラは、ステップＳ４０６、ステップＳ４０３、ステップＳ４０４の一連処理を行う。
【００５４】
具体的には、ステップＳ４０６において、コントローラは、熱排気処理空調機４０を経由した熱排気を外調機１０の上流側に戻すように、夏冬切替ダンパ６０を切り替える。
【００５５】
次に、ステップＳ４０３において、コントローラは、熱排気ファン３１からの排気を、室内に戻すように、大気／熱排気空調機切替ダンパ５０を切り替える。さらに、ステップＳ４０４において、コントローラは、熱排気処理空調機４０の運転を開始し、冬季モードでの室内循環モードでの運転を行う。
【００５６】
このように、ステップＳ４０６、Ｓ４０３、Ｓ４０４による一連処理を施すことで、先の図３の空気線図で示したように、外気の供給量を減らした空調制御を行うことができ、トータルとしての空調エネルギーの削減を実現できる。
【００５７】
一方、先のステップＳ４０５において、外気条件として加湿が必要でないと判断した場合には、ステップＳ４０７に進み、コントローラは、ステップＳ４０７〜Ｓ４０９の一連処理を行う。
【００５８】
具体的には、ステップＳ４０７において、コントローラは、熱排気処理空調機４０を経由した熱排気を外調機１０の上流側、下流側のいずれにも戻さないように、夏冬切替ダンパ６０を切り替える。
【００５９】
次に、ステップＳ４０８において、コントローラは、熱排気ファン３１からの排気を室内に戻す循環ルートを閉じるように、大気／熱排気空調機切替ダンパ５０を切り替える。さらに、ステップＳ４０９において、コントローラは、熱排気処理空調機４０の運転を停止し、夏季モードまたは冬季モードでの室内循環モードでの運転を停止し、従来と同様に、排気のみを行う。
【００６０】
このように、ステップＳ４０７、Ｓ４０８、Ｓ４０９による一連処理を施すことで、熱排気ファン３１からの排気を室内に戻す必要性がない場合には、熱排気処理空調機４０の運転を停止し、従来と同様に、外調機１０と空調機２０のみによる空調制御を行うことができ、トータルとしての空調エネルギーの削減を実現できる。
【００６１】
以上のように、実施の形態１によれば、熱排気を室内に戻すルートとして、換気に必要な量以外の空気を、必要に応じて冷却処理を行って外調機の上流側または外調機の下流側に戻して循環させることのできる構成を備えている。これにより、外気を除湿しなければならない場合、あるいは外気を加湿のために加温する必要がある場合などに、外気量を大幅に削減することができ、空気調和システム全体で消費するエネルギーを削減することができる。
【００６２】
なお、図４のフローチャートにおいては、空気調和装置の有するコントローラが、外気条件に応じて、熱排気空調機切替ダンパ５０および夏冬切替ダンパ６０を切替制御することを前提に説明した。しかしながら、本発明は、このような制御には限定されず、外気条件に応じて熱排気空調機切替ダンパ５０および夏冬切替ダンパ６０を手動操作であらかじめ切り替えておくことも可能である。
【００６３】
また、外調機１０、空調機２０、および熱排気処理空調機４０に関する空気調和制御は、外気条件をモニタリングする統括コントローラで行う以外に、それぞれ個々に、手動により湿度あるいは温度の目標値を設定することで行うことも可能である。
【符号の説明】
【００６４】
１０  外調機、１１  外調機ファン、１２  外調機冷却コイル、１３  外調機加熱コイル、１４  外調機加湿器、２０  空調機、２１  空調機ファン、２２  空調機冷却コイル、３１  熱排気ファン、４０  熱排気処理空調機、４１  熱排気処理空調機ファン、４２  熱排気処理空調機冷却コイル、５０  熱排気空調機切替ダンパ、６０  夏冬切替ダンパ、１００  室内、１０１  熱源装置。
【図１】
2012242044.tif 000003
【図２】
2012242044.tif 000004
【図３】
2012242044.tif 000005
【図４】
2012242044.tif 000006
【図５】
2012242044.tif 000007
【図６】
2012242044.tif 000008
【図７】
2012242044.tif 000009